(57)【要約】【課題】構造を簡素化し、コスト削減を可能にする竹節型組立式物置台を提供する。【解決手段】竹節型組立式物置台には、縦棒２０、クリップセット３０及びホルダー４０を備える。縦棒は外周面に多数の環状溝２２を有し、環状溝は縦棒の軸方向に対して垂直であり一定の距離を置いて分布される。クリップセットは第一クリップ３１と第二クリップ３２とから構成され、クリップは内側にリブ３３、３６を有し、リブは環状溝と対応するように嵌合され、クリップの外側には制限溝３５、３８を有し、制限溝は縦棒の軸方向に沿って延伸される。ホルダーは、クリップセットに装着され、数多くの係合部４２を有し、係合部は制限溝と対応するように嵌合される。【選択図】図１
0003132009.tif 000002
【実用新案登録請求の範囲】
【請求項１】
外周面に多数の環状溝を有する縦棒であって、環状溝は縦棒の軸方向に対して垂直であり、かつ環状溝が縦棒の軸方向に沿って一定の距離を置いて分布される縦棒と、
数多くのクリップから構成され、クリップは内側にリブが有され、リブは環状溝のうちの一つと対応するように嵌合され、クリップは環状溝に沿って配列され、クリップの外側には少なくとも一つの制限溝が有され、制限溝が縦棒の軸方向に沿って延伸される少なくとも一つのクリップセットと、
クリップセットに装着され、かつ数多くの係合部が有され、係合部が制限溝と対応するように嵌合される少なくとも一つのホルダーと、
を備えることを特徴とする竹節型組立式物置台。
【請求項２】
クリップセットは第一クリップと第二クリップとから構成され、第一クリップには二つの突出部が有され、第二クリップには二つの陥凹部が有され、陥凹部は突出部に嵌るように設けられることを特徴とする請求項１に記載の竹節型組立式物置台。
【請求項３】
クリップは底部に少なくとも一つのストッパーが有され、ストッパーは係合部の移動を制限するように制限溝の一端に位置付けられることを特徴とする請求項１に記載の竹節型組立式物置台。
【請求項４】
制限溝は上から下へ漸縮するように設けられることを特徴とする請求項１に記載の竹節型組立式物置台。
【請求項５】
ホルダーは籠であることを特徴とする請求項１に記載の竹節型組立式物置台。
【請求項６】
係合部は直棒であることを特徴とする請求項１に記載の竹節型組立式物置台。
【請求項７】
ホルダーには欠け口が有され、欠け口は隣り合う二つの係合部の間に位置付けられ、欠け口の幅は縦棒の外径より大きいことを特徴とする請求項１に記載の竹節型組立式物置台。
【考案の詳細な説明】
【技術分野】
【０００１】
本考案は組立式物置台、詳しく言えば竹節型組立式物置台に関するものである。
【背景技術】
【０００２】
汎用されている物置台のうち中華民国実用新案公告第Ｍ３０３６６３号により掲示された「解体が簡単な物置台の構造」は、固定セットとパイプとを組み合わせ、ホルダーを組み立てるものである。固定セットは、上結合部、滑り止め片及び下結合部から構成される。上結合部と下結合部とは、合わさるようにパイプに固定される。滑り止め片はパイプと密着するように配置されるため、固定セットをパイプに沿ってスライドさせないように摩擦力を提供することが可能である。上結合部は、外側にホルダーを組み立てるための接合部を一セット有する。これにより組立・解体を簡単にする目的を達成することが可能である。
しかし、滑り止め片を暫く使用すると、劣化現象の進行に伴い滑り止めの性能が低下するため、固定セットをしっかり固定できなくなる。その結果、固定セットが緩み、パイプに沿ってずり落ち、構造が安定しないという欠点がある。また、この考案の構造のため、ホルダーは固定セットに対して引っ張る力を生じるという欠点がある。従って、長期間にわたって上結合部と下結合部との結合箇所が段々緩んでいく現象があり、かつ固定セットには挟む力を持たないため緩んで分離するという問題がある。またホルダーはフックにより固定セットに設置されるため、上向きの外力を受けると固定セットと分離しやすい。従って固定効果があまりよくないという欠点がある。
それに対し、中華民国実用新案公開第２００６４２６３７号により掲示された「多数の物置台を組み合わせて固定する装置」はパイプに連結座を設け、ホルダーに嵌合管を増設し、嵌合管を連結座に装着することによりホルダーとパイプの分離を防止し、確実に固定する目的を達成する。しかし、組立の際のステップが非常に複雑であるため、組み立てにくいという欠点がある。
しがって、上述した周知の物置台には改善の余地がある。
【考案の開示】
【考案が解決しようとする課題】
【０００３】
本考案の主な目的は、構造を簡単化し、コストを削減することを可能にする竹節型組立式物置台を提供することである。
【課題を解決するための手段】
【０００４】
上述の目的を達成するために、本考案による竹節型組立式物置台には、縦棒、少なくとも一つのクリップセットと少なくとも一つのホルダーとを備える。縦棒は外周面に多数の環状溝を有し、環状溝は縦棒の軸方向に垂直であり、環状溝は縦棒の軸方向に沿って一定の距離を置いて分布される。クリップセットは数多くのクリップから構成され、クリップは内側にリブを有し、リブは環状溝に対応し、かつ環状溝のうちの一つに嵌合され、またクリップは環状溝に沿って配列され、クリップの外側には少なくとも一つの制限溝を有し、制限溝は縦棒の軸方向に沿って延伸される。ホルダーはクリップセットに装着され、かつ数多くの係合部を有し、係合部は制限溝に対応するように嵌合される。
これにより本考案による竹節型組立式物置台は、物置台の構造と組立のステップとが簡単化されるため、周知のものと比べて組立のステップが複雑であるという欠点を克服することを可能にするだけでなく、組立・解体に便利な点を有する。また材料の使用量を減少させても同じ効果を達成することが可能であるため、コストを削減するメリットがある。
【考案を実施するための最良の形態】
【０００５】
以下、本考案の特徴と目的とを実施例と図面とに基づいて説明する。
図１から図４に示すように、本実施例による竹節型組立式物置台１０には縦棒２０、クリップセット３０及びホルダー４０を備える。
縦棒２０は外周面に多数の環状溝２２を有し、環状溝２２は縦棒２０の軸方向に垂直であり、環状溝２２は縦棒２０の軸方向に沿って一定の距離を置いて分布される。
【０００６】
クリップセット３０は、第一クリップ３１と第二クリップ３２とを組み合わせることにより構成される。第一クリップ３１は弧形を呈し、かつ一つのリブ３３、二つの突出部３４及び二つの制限溝３５を有する。リブ３３は第一クリップ３１の内側に位置付けられ、かつリブ３３は環状溝２２のうちの一つと対応するように嵌合される。二つの突出部３４は、第一クリップ３１の向かい合う両側に別々に位置付けられる。制限溝３５は第一クリップ３１の外側に位置付けられ、かつ上から下へ漸縮するように縦棒２０の軸方向に沿って延伸される。第二クリップ３２は弧形を呈し、かつ一つのリブ３６、二つの陥凹部３７及び一つの制限溝３８を有する。リブ３６は第二クリップ３２の内側に位置付けられ、またリブ３６は環状溝２２のうちの一つと対応するように嵌合されるため、第一クリップ３１と第二クリップ３２とは環状溝２２に沿って配列される。二つの陥凹部３７は第一クリップ３１の突出部３４に嵌るように第二クリップ３２の向かい合う両側に別々に位置付けられるため、クリップセット３０は縦棒２０を囲むように被覆することが可能である。制限溝３８は第二クリップ３２の外側に位置付けられ、かつ上から下へ漸縮するように縦棒２０の軸方向に沿って延伸される。また第一クリップ３１と第二クリップ３２との底部には全部で三つのストッパー３９を有し、ストッパー３９は制限溝３５と制限溝３８との一端に別々に位置付けられる。
【０００７】
ホルダー４０は、数多くの係合部４２を有する籠である。係合部４２は制限溝３５と制限溝３８とに対応するように嵌合される直棒であるため、ホルダー４０はクリップセット３０に取り付けられる。また係合部４２は制限溝３５及び制限溝３８の漸縮に伴い窮屈になっていくため、係合部４２を制限溝３５及び制限溝３８にすっかり嵌め込み、係合部４２をストッパー３９に突き当たらせれば、係合部４２の移動を制限することが可能である。
【０００８】
続いて物置台１０を組み立てる場合、組立のステップは次の通りである。
ａ）リブ３３、リブ３６を環状溝２２のうちの一つと対応させるように嵌め込み、続いて第一クリップ３１の突出部３４を第二クリップ３２の陥凹部３７に嵌め込むことにより、クリップセット３０を縦棒２０の所定の高さに位置させるように固定する。
【０００９】
ｂ）ホルダー４０の係合部４２を制限溝３５と制限溝３８とに対応させるように上から下へ嵌め込む。制限溝３５及び制限溝３８の漸縮に伴い係合部４２が下へ嵌め込まれた場合、係合部４２はクリップセット３０を段々圧迫して作用力を形成し、リブ３３とリブ３６とを環状溝２２に確実に嵌め込むことが可能である。これにより本実施例による構造は、ホルダー４０が外力を受けて上へ作用するとホルダーとクリップセット３０の分離が生じることを防止することが可能である。
【００１０】
ｃ）係合部４２を制限溝３５と制限溝３８とに完全に嵌め込み、係合部４２をストッパー３９に突き当たらせることにより係合部４２の移動を制限する。従って、使用者は上述のステップにより物置台１０の組立を完成させる。
また使用者の需要に応じクリップセット３０とホルダー４０との数を増やすことが可能である。従ってホルダー４０は異なる使用の環境に応じる実用性を有する。
【００１１】
図５と図６に示すのは、本考案の第二実施例による竹節型組立式物置台１２である。その構造は第一実施例と同じように縦棒２０、クリップセット３０及びホルダー４０Ａを備える。その違いは、ホルダー４０Ａには欠け口４４を有し、欠け口４４は図５に示すように隣り合う二つの係合部４２の間に位置付けられ、欠け口４４の幅は縦棒２０の外径２４より大きいことである。
【００１２】
ホルダー４０Ａを縦棒２０に取り付ける場合、縦棒２０のクリップセット３０の上方に近い位置から縦棒２０を欠け口４４へ貫通させることにより、直接ホルダー４０Ａをクリップセット３０に近い位置に位置させることが可能である。これによりホルダー４０Ａを縦棒２０の一端に持ち上げる必要なく、嵌合作業を行うことが可能である。言い換えれば、比較的狭い操作空間下で第二実施例による物置台１２を組み立てることが可能である。またホルダー４０Ａを取り外す場合、同様に上述と同じような効果に達することが可能である。これにより第二実施例は第一実施例と同じ効果を達成し、かつ物置台１２の組立のステップをより簡単化することが可能であるため、組立・解体に便利な点がある。
【００１３】
上述した実施例をまとめてみると、本考案の長所は次の通りである。
（１）本考案は物置台の構造を簡単化することが可能であるため、二回の加工を必要とせず部品を容易に加工し、かつ部品の製造と調達にかかる時間、材料の使用量を減少させることが可能である。従って、コストを削減するメリットがある。
（２）本考案は部品の数を減少させ、組立のステップを簡単化することが可能であるため、周知のものの組立のステップが複雑であるという欠点を改善することが可能となる。従って組立・解体に便利な点がある。
【００１４】
上述した通り、本考案による竹節型組立式物置台は、物置台の構造と組立のステップとを簡単化し、周知のものと比べて組立のステップが複雑であるという欠点を克服することが可能であるため、組立・解体に便利な点がある。また材料の使用量を減少させても同じ効果を達成することが可能であるためコストを削減するメリットがある。
上述の実施例において掲示された部品、方法及びステップは説明のための一例に過ぎず、本考案の範囲を制限することはできない。また本考案の精神を逸脱しない限り、効果が同等な修正または変換を行うことは本考案の請求範囲に属すべきである。
【図面の簡単な説明】
【００１５】
【図１】本考案の第一実施例における竹節型組立式物置台の分解斜視図である。
【図２】本考案の第一実施例における竹節型組立式物置台の組立後の正面図である。
【図３】本考案の第一実施例における図１の３−３線に沿う断面図である。
【図４】本考案の第一実施例における竹節型組立式物置台の平面図である。
【図５】本考案の第二実施例における竹節型組立式物置台の平面図である。
【図６】本考案の第二実施例における竹節型組立式物置台の使用状態示す正面図である。
【符号の説明】
【００１６】
１０:物置台、１２：物置台、２０：縦棒、２２：環状溝、２４：外径、３０：クリップセット、３１：第一クリップ、３２：第二クリップ、３３：リブ、３４：突出部、３５：制限溝、３６：リブ、３７：陥凹部、３８：制限溝、３９：ストッパー、４０：ホルダー、４０Ａ：ホルダー、４２：係合部、４４：欠け口
【図１】
0003132009.tif 000003
【図２】
0003132009.tif 000004
【図３】
0003132009.tif 000005
【図４】
0003132009.tif 000006
【図５】
0003132009.tif 000007
【図６】
0003132009.tif 000008